(57)【要約】【課題】従来の情報記録装置では、通常記録領域での記録時に欠陥クラスタが検出される度に、その検出クラスタに記録すべき情報を代替記録領域のトラックに記録を行うため、代替記録領域と通常記録領域との間のロングシーク動作を行わなければならない。【解決手段】光ディスク１の通常記録領域内の欠陥クラスタでないと判定したクラスタに記録されるデータをデータバッファ６に一時記録し、かつ、欠陥クラスタに記録されるデータを代替記録用データバッファ７に一時記録する。その後、データバッファ６に一時記録されているデータを通常記録領域に記録する。そのデータ記録中にデータ記録が失敗したクラスタや記録後のベリファイ処理が失敗したクラスタを検出し、検出した欠陥クラスタに記録すべきデータをデータバッファ６からデータバッファ７に転送する。データバッファ７に更新記憶されたデータを、代替記録領域内の対応する代替先クラスタに記録する。【選択図】図１
2008198287.tif 000002
【特許請求の範囲】
【請求項１】
所望のデータを情報単位記録区間であるクラスタ単位で記録する通常記録領域と、前記通常記録領域の欠陥クラスタに記録すべきデータを記録する代替先クラスタからなる代替記録領域と、前記欠陥クラスタと前記代替先クラスタとの関係を示す管理情報を記録するための管理情報記録領域とが設けられた記録媒体に対して記録を行う情報記録方法において、
記録開始前に前記管理情報記録領域から読み取った前記管理情報を第１のメモリに記憶する第１のステップと、
前記通常記録領域に記録しようとする全てのデータについて、各データ毎にそのデータが記録される前記通常記録領域内のクラスタが前記欠陥クラスタであるか否か前記第１のステップで記憶した前記管理情報を参照して判定する第２のステップと、
前記第２のステップにより前記データを記録しようとするクラスタが前記欠陥クラスタでないと判定したときは、記録しようとするそのデータを第２のメモリに一時記憶し、前記第２のステップにより前記データを記録しようとするクラスタが前記欠陥クラスタであると判定したときは、該欠陥クラスタに記録しようとするデータを第３のメモリに一時記憶する第３のステップと、
前記第２のメモリに一時記憶したデータを前記通常記録領域内の対応するクラスタに順次に記録する第４のステップと、
前記第４のステップによる前記データの記録中に、データ記録が失敗したクラスタを検出し、検出した欠陥クラスタとその代替先クラスタとを関連付けて前記第１のメモリに記憶されている管理情報に追加登録すると共に、前記データ記録が失敗したクラスタに記録すべきデータを前記第１のメモリから前記第３のメモリに転送して追加記憶する第５のステップと、
前記第４のステップの記録完了後に記録が正常終了したか否かを判断するためのベリファイ処理を行う第６のステップと、
前記ベリファイ処理が成功したか否か記録クラスタ単位で判定する第７のステップと、
前記第７のステップにより前記ベリファイ処理が失敗したと判定したクラスタを欠陥クラスタとして、その代替先クラスタと関連付けて前記第１のメモリに記憶されている管理情報に追加登録すると共に、前記ベリファイ処理が失敗したと判定したクラスタに記録すべきデータを前記第１のメモリから前記第３のメモリに転送して追加記憶する第８のステップと、
前記第３のメモリに記憶されたデータを、前記第１のメモリから読み出した前記管理情報に基づいて、前記代替記録領域内の対応する代替先クラスタに記録する第９のステップと
を含むことを特徴とする情報記録方法。
【請求項２】
所望のデータを情報単位記録区間であるクラスタ単位で記録する通常記録領域と、前記通常記録領域の欠陥クラスタに記録すべきデータを記録する代替先クラスタからなる代替記録領域と、前記欠陥クラスタと前記代替先クラスタとの関係を示す管理情報を記録するための管理情報記録領域とが設けられた記録媒体に対して記録を行う情報記録装置において、
記録開始前に前記管理情報記録領域から読み取った前記管理情報を一時記憶する第１のメモリと、
前記通常記録領域に記録しようとする全てのデータのうち、前記管理情報に基づいて判定した前記欠陥クラスタでないクラスタに記録されるデータを一時記憶する第２のメモリと、
前記通常記録領域に記録しようとする全てのデータのうち、前記管理情報に基づいて判定した前記欠陥クラスタに記録されるデータを一時記憶する第３のメモリと、
前記第２のメモリに一時記憶したデータを前記通常記録領域内の対応するクラスタに順次に記録するデータ記録手段と、
前記データ記録手段による前記データの記録中に、データ記録が失敗したクラスタを検出し、検出した欠陥クラスタとその代替先クラスタとを関連付けて前記第１のメモリに記憶されている管理情報に追加登録すると共に、前記データ記録が失敗したクラスタに記録すべきデータを前記第１のメモリから前記第３のメモリに転送して追加記憶する第１の制御手段と、
前記データ記録手段の記録完了後に記録が正常終了したか否かを判断するためのベリファイ処理を行うと共に、そのベリファイ処理が成功したか否か記録クラスタ単位で判定するベリファイ処理手段と、
前記ベリファイ処理手段により前記ベリファイ処理が失敗したと判定したクラスタを欠陥クラスタとして、その代替先クラスタと関連付けて前記第１のメモリに記憶されている管理情報に追加登録すると共に、前記ベリファイ処理が失敗したと判定したクラスタに記録すべきデータを前記第１のメモリから前記第３のメモリに転送して追加記憶する第２の制御手段と、
前記第３のメモリに記憶されたデータを、前記第１のメモリから読み出した前記管理情報に基づいて、前記代替記録領域内の対応する代替先クラスタに記録する代替データ記録手段と
を有することを特徴とする情報記録装置。
【発明の詳細な説明】
【技術分野】
【０００１】
本発明は情報記録方法及び情報記録装置に係り、特に記録再生すべき情報を光ディスクの通常記録領域に記録し、通常記録領域の情報単位記録区間であるクラスタが欠陥であるときなどに代替情報を代替記録領域に記録する情報記録方法及び情報記録装置に関する。
【背景技術】
【０００２】
昨今の光ディスクは図４の概略平面図に示すように、通常記録領域Ａ２と、この通常記録領域Ａ２の内周側に設けられた管理情報記録領域Ａ１と、通常記録領域Ａ２の外周側に設けられた代替記録領域Ａ３とが予め用意されている。通常記録領域Ａ２に傷、汚れ等の欠陥によって、情報を正常に記録できない恐れのある情報単位記録区間である欠陥クラスタに対して情報の記録要求をされたとき、代替記録領域Ａ３へ当該記録要求された情報が記録されるようになっている。また、情報記録時及び記録完了時のベリファイ処理によって、その記録の成功／失敗が判定され、記録が失敗したと判断された場合には、記録が失敗したと判断された当該情報が代替記録領域Ａ３へ記録されるようになっている。また、記録が失敗したクラスタとその代替先のクラスタとの関係を管理情報記録領域Ａ１に記録させるようになっている（以上、例えば、特許文献１、特許文献２参照）。
【０００３】
これにより、例えば、記録開始前に管理情報記録領域Ａ１から再生した図５（Ｃ）に示す管理情報に基づいて、同図（Ａ）に示すように通常記録領域Ａ２のクラスタＢが欠陥クラスタであり、その代替先のクラスタが同図（Ｂ）に示す代替記録領域Ａ３のクラスタαであると判断し、クラスタＢに記録すべきデータをクラスタαに代替記録を行い、また、通常記録領域Ａ２のクラスタＤの記録時に記録失敗し、クラスタＤに記録すべきデータを代替記録領域Ａ３のクラスタβに代替記録を行い、また、通常記録領域Ａ２のクラスタＦのベリファイ時にベリファイ失敗し、代替記録領域Ａ３のクラスタγに代替記録を行ったことが分かる。
【０００４】
【特許文献１】特許第２６３９５２０号公報
【特許文献２】特許第２７１４３７３号公報
【発明の開示】
【発明が解決しようとする課題】
【０００５】
しかしながら、従来の情報記録装置では、図５（Ａ）に示した通常記録領域に欠陥クラスタ、記録失敗したクラスタ、あるいはベリファイに失敗したクラスタが検出される度に、その検出クラスタに記録すべき情報を代替記録領域のトラックに、同図（Ｂ）に示すようにクラスタα、β、γのように順次に記録を行っていくため、代替記録を行う度に通常記録領域Ａ２から代替記録領域Ａ３へのロングシーク動作（光ピックアップを目的のトラック（クラスタ）へ長距離移動させる動作）、及び再び代替記録領域Ａ３から通常記録領域Ａ２へのロングシーク動作を行わなければならないことが多い。ロングシーク動作は時間を要するため、代替記録処理を行なわない場合と比較して記録時間が必要とされ、転送速度の低下が発生する。従って、従来の情報記録装置では、欠陥クラスタが多く存在する光ディスクを記録する場合や記録失敗が多く発生した場合に転送レートの低下が発生するという課題がある。
【０００６】
本発明は上記の点に鑑みなされたもので、記録処理中に代替記録処理を行う際のロングシーク動作を削減することができ、転送レートの低下を防ぐことができる情報記録方法及び情報記録装置を提供することを目的とする。
【課題を解決するための手段】
【０００７】
上記の目的を達成するため、本発明の情報記録方法は、所望のデータを情報単位記録区間であるクラスタ単位で記録する通常記録領域と、通常記録領域の欠陥クラスタに記録すべきデータを記録する代替先クラスタからなる代替記録領域と、欠陥クラスタと代替先クラスタとの関係を示す管理情報を記録するための管理情報記録領域とが設けられた記録媒体に対して記録を行う情報記録方法において、記録開始前に管理情報記録領域から読み取った管理情報を第１のメモリに記憶する第１のステップと、通常記録領域に記録しようとする全てのデータについて、各データ毎にそのデータが記録される通常記録領域内のクラスタが欠陥クラスタであるか否か第１のステップで記憶した管理情報を参照して判定する第２のステップと、第２のステップによりデータを記録しようとするクラスタが欠陥クラスタでないと判定したときは、記録しようとするそのデータを第２のメモリに一時記憶し、第２のステップによりデータを記録しようとするクラスタが欠陥クラスタであると判定したときは、該欠陥クラスタに記録しようとするデータを第３のメモリに一時記憶する第３のステップと、第２のメモリに一時記憶したデータを通常記録領域内の対応するクラスタに順次に記録する第４のステップと、第４のステップによるデータの記録中に、データ記録が失敗したクラスタを検出し、検出した欠陥クラスタとその代替先クラスタとを関連付けて第１のメモリに記憶されている管理情報に追加登録すると共に、データ記録が失敗したクラスタに記録すべきデータを第１のメモリから第３のメモリに転送して追加記憶する第５のステップと、第４のステップの記録完了後に記録が正常終了したか否かを判断するためのベリファイ処理を行う第６のステップと、ベリファイ処理が成功したか否か記録クラスタ単位で判定する第７のステップと、第７のステップによりベリファイ処理が失敗したと判定したクラスタを欠陥クラスタとして、その代替先クラスタと関連付けて第１のメモリに記憶されている管理情報に追加登録すると共に、ベリファイ処理が失敗したと判定したクラスタに記録すべきデータを第１のメモリから第３のメモリに転送して追加記憶する第８のステップと、第３のメモリに記憶されたデータを、第１のメモリから読み出した管理情報に基づいて、代替記録領域内の対応する代替先クラスタに記録する第９のステップとを含むことを特徴とする。
【０００８】
また、上記の目的を達成するため、本発明の情報記録装置は、所望のデータを情報単位記録区間であるクラスタ単位で記録する通常記録領域と、通常記録領域の欠陥クラスタに記録すべきデータを記録する代替先クラスタからなる代替記録領域と、欠陥クラスタと代替先クラスタとの関係を示す管理情報を記録するための管理情報記録領域とが設けられた記録媒体に対して記録を行う情報記録装置において、記録開始前に管理情報記録領域から読み取った管理情報を一時記憶する第１のメモリと、通常記録領域に記録しようとする全てのデータのうち、管理情報に基づいて判定した欠陥クラスタでないクラスタに記録されるデータを一時記憶する第２のメモリと、通常記録領域に記録しようとする全てのデータのうち、管理情報に基づいて判定した欠陥クラスタに記録されるデータを一時記憶する第３のメモリと、第２のメモリに一時記憶したデータを通常記録領域内の対応するクラスタに順次に記録するデータ記録手段と、データ記録手段によるデータの記録中に、データ記録が失敗したクラスタを検出し、検出した欠陥クラスタとその代替先クラスタとを関連付けて第１のメモリに記憶されている管理情報に追加登録すると共に、データ記録が失敗したクラスタに記録すべきデータを第１のメモリから第３のメモリに転送して追加記憶する第１の制御手段と、データ記録手段の記録完了後に記録が正常終了したか否かを判断するためのベリファイ処理を行うと共に、そのベリファイ処理が成功したか否か記録クラスタ単位で判定するベリファイ処理手段と、ベリファイ処理手段によりベリファイ処理が失敗したと判定したクラスタを欠陥クラスタとして、その代替先クラスタと関連付けて第１のメモリに記憶されている管理情報に追加登録すると共に、ベリファイ処理が失敗したと判定したクラスタに記録すべきデータを第１のメモリから第３のメモリに転送して追加記憶する第２の制御手段と、第３のメモリに記憶されたデータを、第１のメモリから読み出した管理情報に基づいて、代替記録領域内の対応する代替先クラスタに記録する代替データ記録手段とを有することを特徴とする。
【０００９】
本発明の情報記録方法及び情報記録装置では、第１のメモリに一時記憶した管理情報に基づいて、通常記録領域内の欠陥クラスタでないと判定したクラスタに記録されるデータを第２のメモリに一時記録し、かつ、欠陥クラスタであると判定したクラスタに記録されるデータを第３のメモリに一時記録した後、第２のメモリに一時記録されているデータを記録すべきクラスタに記録開始し、そのデータ記録中にデータ記録が失敗したクラスタを検出し、検出した欠陥クラスタとその代替先クラスタとを関連付けて第１のメモリに記憶されている管理情報に追加登録すると共に、データ記録が失敗したクラスタに記録すべきデータを第１のメモリから第３のメモリに転送して追加記憶する。また、データ記録終了後はベリファイ処理してベリファイ処理が失敗したクラスタを検出し、検出した欠陥クラスタとその代替先クラスタとを関連付けて第１のメモリに記憶されている管理情報に追加登録すると共に、データ記録が失敗したクラスタに記録すべきデータを第１のメモリから第３のメモリに転送して追加記憶する。その後、第３のメモリに記憶されたデータを、第１のメモリから読み出した管理情報に基づいて、代替記録領域内の対応する代替先クラスタに記録する。このように、この発明では、代替記録を行う際に、通常記録領域へのデータの記録が全て完了した後に、代替記録領域へのデータ記録を行うことを特徴とする。
【発明の効果】
【００１０】
本発明によれば、代替記録を行う際に、通常記録領域へのデータの記録が全て完了した後に、代替記録領域へのデータ記録を行うようにしたため、通常記録領域へのデータ記録の途中で欠陥クラスタがあったときに代替記録領域への代替記録を行い、再び通常記録領域へのデータ記録を再開する動作を繰り返す従来の記録方法に比べて、ロングシーク動作を削減することができ、欠陥クラスタが多く存在する記録媒体の記録時や記録失敗が多く発生した場合でも、転送レートの低下を防ぐことができる。
【発明を実施するための最良の形態】
【００１１】
次に、発明を実施するための最良の形態について図面と共に詳細に説明する。図１は本発明になる情報記録装置の一実施の形態の構成図を示す。同図において、記録再生媒体である光ディスク１は記録又は再生時はスピンドルモータ２のシャフトにその中心位置が固定されて所定方向に高速回転される。この光ディスク１は図４に示した従来の光ディスクと同様に、記録再生すべき情報の通常記録を行う通常記録領域Ａ２と、その通常記録領域Ａ２の外周側に通常記録領域Ａ２に傷、汚れ等の欠陥が存在することによって正常に記録できない恐れのある欠陥クラスタに対して情報の代替記録を行う際に書き込みを行う代替記録領域Ａ３が設けられ、通常記録領域Ａ２の内周側に、欠陥クラスタと代替先クラスタとの関連を示す管理情報を書き込むための管理情報記録領域Ａ３が予め設けられている。
【００１２】
回転する光ディスク１に対してピックアップ３からレーザ光を照射して情報の記録又は再生を行う。このピックアップ３の光ディスク１に対する相対位置やピックアップ３から出射するレーザ光のレーザパワーの設定及びスピンドルモータ２の回転数は、装置制御部５により制御される。また、情報記録装置には、光ピックアップ３によって再生された信号を復調、及び記録するための変調を行う信号制御部５、通常時に記録及び再生する情報を一時記憶するための通常記録用データバッファ６、代替記録処理を行う際に、記録及び再生する情報を一時記憶するための代替記録用データバッファ、管理情報を一時記憶するための管理情報記録用データバッファ８、ホストコンピュータ１０と通信を行うインタフェース部９、装置内の各部を統括的に制御するためのホストコンピュータ１０とが設けられている。
【００１３】
次に、本実施の形態の動作について、図２のフローチャート及び図３の光ディスクの各領域の記録情報を示す図を併せ参照して説明する。まず、ディスク起動時等、記録開始前にピックアップ３を光ディスク１の管理情報記録領域へ移動させ管理情報を読み取り、管理情報用データバッファ８に一時記憶させることで、光ディスク１のどこに欠陥クラスタなどがあるか判断できるようにしておく。ここでは、図３（Ａ）に示すように、光ディスク１のクラスタＡ、クラスタＢ、クラスタＣ、クラスタＤ、クラスタＥ、クラスタＦ、クラスタＧは通常記録領域に存在し、同図（Ｃ）に示すようにクラスタＢは欠陥クラスタとして管理情報領域に登録されている。図３（Ｂ）に示す光ディスク１のクラスタα、クラスタβ、クラスタγ、クラスタδ、クラスタεは代替記録領域に存在する。また、先の欠陥クラスタＢの代替先のクラスタはクラスタαであるものとする。
【００１４】
次に、ホストコンピュータ１０がインタフェース部９に対して、図３（Ａ）のクラスタＡからクラスタＧまでの記録を要求するライトコマンドを発行して、記録用データをホストコンピュータ１０が送信開始すると、装置制御部４がインタフェース部９を介して記録用データを受信し（ステップＳ１）、その記録用データの記録クラスタが、管理情報用データバッファ８からの管理情報にある欠陥クラスタ（欠陥エリア）に記録するデータであるかどうか判定し（ステップＳ２）、通常記録領域Ａ２内の欠陥クラスタに対して記録する記録用データの場合は代替記録用データバッファ７に格納し（ステップＳ３）、通常記録領域Ａ２内の欠陥クラスタではないクラスタ（エリア）に記録する記録用データの場合は通常記録用データバッファ６に格納する（ステップＳ４）。
【００１５】
上記の動作をホストコンピュータ１０よりすべての記録用データが受信されるまで繰り返す（ステップＳ５）。ここでは、装置制御部４は管理情報用データバッファ８からの管理情報により、クラスタＢは欠陥クラスタであることを判断し、クラスタＡ、クラスタＣ、クラスタＤ、クラスタＥ、クラスタＦ、クラスタＧに記録するためのデータを通常記録用データバッファ６に、クラスタＢに記録するためのデータをホストコンピュータ１０から代替記録用データバッファ７に受信して記憶する。
【００１６】
受信が完了したら、装置制御部４はピックアップ３をクラスタＡまで移動させ、クラスタＡまで到達したら、ピックアップ３内のレーザ光源をオン（記録パワーをオン）にし、記録位置が欠陥クラスタ（エリア）であるかどうか確認し（ステップＳ７）、ここではクラスタＡは欠陥クラスタではないので、通常記録用データバッファ６から読み出した通常記録用データを信号処理部５を通してピックアップ３に供給し、ピックアップ３から光ディスク１に出射するレーザ光の強度を信号処理部５からの通常記録用データに応じて変調し、公知の方法で光ディスク１の通常記録領域Ａ２のクラスタＡに記録する（ステップＳ８）。
【００１７】
記録開始後、装置制御部４はピックアップ３が管理情報用データバッファ８に格納されている管理情報を逐次参照して、ピックアップ３が欠陥クラスタの位置に到着したかどうかを逐次監視しており（ステップＳ７）、クラスタＡの記録が完了したら、次のクラスタであるクラスタＢは欠陥クラスタであると判定し、ピックアップ３内のレーザ光を出射するレーザ光源をオフ（記録パワーをオフ）し（ステップＳ９）、記録を行わないようにする。
【００１８】
その後、ピックアップ３が通常記録時の速度での移動を続けて欠陥クラスタＢの位置を越えてクラスタＣの位置に到達すると、装置制御部４は記録位置が欠陥エリア（クラスタ）ではないと判断して（ステップＳ７のＮＯ）再び記録パワーをオンし記録を再開する（ステップＳ８）。
【００１９】
上記のステップＳ８での記録開始後は、装置制御部４は制御異常（記録エラー）が発生したかどうかを監視しており（ステップＳ１０）、記録エラーが発生した場合は、その記録エラーが発生した時点で記録中のクラスタを管理情報用データバッファ８に記憶されている管理情報に、新たに欠陥クラスタとして追加登録すると共に、その欠陥クラスタに対応する代替記録領域のクラスタも追加登録する（ステップＳ１１）。例えば、図３（Ａ）のクラスタＤで記録エラーが発生した場合は、新たに欠陥クラスタとしてクラスタＤを、またその代替先クラスタとして図３（Ｂ）に示すクラスタβを新たに追加する（ステップＳ１１）。続いて、装置制御部４は記録エラーが発生したクラスタに記録すべきデータを通常記録用データバッファ６から代替記録用データバッファ７へデータ転送して格納する（ステップＳ１２）。
【００２０】
このようにして受信したデータの全ての記録が完了するまで上記の動作が繰り返され（ステップＳ１３）、全てのデータ（ここではクラスタＧの記録データ）の記録が完了したら、クラスタＡからクラスタＧまで（ただし、欠陥クラスタであるクラスタＢ、クラスタＤは除く）のベリファイ処理を行う（ステップＳ１４）。このベリファイ処理は、公知のように、光ディスク１に記録されたデータを再生し、その再生データと通常記録用データバッファ６に格納されている記録前のデータとを比較照合し、両者が一致するかどうかを確認する処理である。
【００２１】
続いて、上記のベリファイ処理が成功したかどうかを判定する（ステップＳ１５）。ここで、例えば、クラスタＦのベリファイ処理が失敗したとすると、管理情報用データバッファ８に記憶されている管理情報に、新たに欠陥クラスタとしてクラスタＦを、またその代替先クラスタとしてクラスタγを新たに追加登録する（ステップＳ１６）。また、クラスタＦに記録するためのデータを通常記録用データバッファ６から代替記録用データバッファ７へデータ転送して格納する（ステップＳ１７）。
【００２２】
その後、装置制御部４は代替記録用データバッファ７に代替記録用データが存在するかどうかを判定し（ステップＳ１８）、存在しない場合は記録を完了するが、存在する場合は、ピックアップ３を代替記録領域Ａ３の管理情報用データバッファ８に記憶されている代替先クラスタに移動し（ステップＳ１９）、代替記録用データバッファ７に記憶されているデータの代替記録処理を行う（ステップＳ２０）。ここでは、管理情報用データバッファ８には代替先クラスタとしてクラスタαからクラスタγまで記録されているので、ピックアップ３を装置制御部４を通じて、最初の代替先クラスタαまで移動させ、クラスタαまで到達したら、ピックアップ３の記録パワーをオンにし、代替記録用データバッファ７から信号処理部５を通じてクラスタαからクラスタγまで代替記録用データバッファ７に記憶されているデータの記録を行う。
【００２３】
この代替記録領域Ａ３のクラスタαからクラスタγまでのデータ記録時にも、記録が成功したかどうかを逐次監視し（ステップＳ２１）、記録が成功した場合は、引き続き代替記録を継続するが、代替記録エラーが発生した場合、エラーが発生したクラスタを欠陥クラスタとして、管理情報用データバッファ８に記憶されている管理情報に新たに追加登録すると共に、その欠陥クラスタに対応する代替記録領域Ａ３のクラスタも追加登録する（ステップＳ２２）。例えば、代替記録領域Ａ３のクラスタβへのデータ記録時に記録エラーが発生した場合は、そのクラスタβを欠陥クラスタとし、かつ、クラスタβに対応する代替先クラスタとしてクラスタδを追加登録する。
【００２４】
続いて、装置制御部４は代替記録が全て完了したかどうか判定する（ステップＳ２３）。装置制御部４はステップＳ２２での欠陥クラスタの追加がある場合は、代替記録が全て完了していないと判定し、再度ステップＳ１９に戻ってピックアップ３を代替記録領域Ａ３の管理情報用データバッファ８に記憶されている代替先クラスタに移動し、ステップＳ２０で代替記録処理を行う。上記の場合、クラスタβが欠陥クラスタとして新たに登録されており、その代替先クラスタとしてクラスタδが新たに登録されているので、ピックアップ３がクラスタδまで移動され（ステップＳ１９）、クラスタδまで到達したら、ピックアップ３の記録パワーをオンにし、代替記録用データバッファ７から信号処理部５を通じて代替記録用データバッファ７に記憶されている欠陥クラスタβのデータの記録をクラスタδに行う（ステップＳ２０）。
【００２５】
ステップＳ２３で代替記録が全て完了したと判定された場合は、ステップＳ２０でデータを記録し、かつ、ステップＳ２１で記録成功と判定された全ての代替先クラスタの記録データのベリファイ処理を行う（ステップＳ２４）。続いて、上記のベリファイ処理が成功したかどうかを判定する（ステップＳ２５）。ベリファイ処理が失敗した場合は、管理情報用データバッファ８に記憶されている管理情報に、新たに欠陥クラスタとしてベリファイ処理が失敗した代替記録領域Ａ３のクラスタを追加登録し、またその代替先クラスタとして新たな別のクラスタを追加登録する（ステップＳ２６）。
【００２６】
続いて、装置制御部４は、ベリファイエラーがあるかどうか判定する（ステップＳ２７）。ステップＳ２６で欠陥クラスタが追加された場合、あるいは、ステップＳ２４のベリファイ処理によりベリファイエラーがあると判定された場合（ステップＳ２７のＮＯ）は、ステップＳ１９以降の処理により、ステップＳ２６で追加された欠陥クラスタへのデータの代替記録、あるいはステップＳ２７でベリファイエラーがあると判定された代替先クラスタへのデータの代替記録をやり直す。代替記録処理及びそのベリファイ処理がエラーが生じることなく完了した場合、記録処理完了とする。
【００２７】
その後、光ディスク１取り出し時等、記録処理が全て完了した際、ピックアップ３を管理情報記録領域Ａ１に移動し、管理情報用データバッファ８に格納された管理情報の記録を行う。
【００２８】
このように、本実施の形態によれば、代替記録を行う際に、通常記録領域Ａ２への記録が全て完了した後に代替記録領域Ａ３への記録を行うため、通常記録領域Ａ２と代替記録領域Ａ３との間のピックアップ３のロングシーク動作を削減することができ、その結果、転送レートの低下を防ぐことができる。
【図面の簡単な説明】
【００２９】
【図１】本発明の情報記録装置の一実施の形態の構成図である。
【図２】本発明の情報記録方法の一実施の形態のフローチャートである。
【図３】図１の情報記録装置で記録する光ディスクの記録領域とクラスタとの関係の一例を説明するための図である。
【図４】光ディスクの構成の一例を示す平面図である。
【図５】代替記録処理を説明するための図である。
【符号の説明】
【００３０】
１  光ディスク
２  スピンドルモータ
３  ピックアップ
４  装置制御部
５  信号制御部
６  通常記録用データバッファ
７  代替記録用データバッファ
８  管理情報用データバッファ
９  インタフェース部
１０  ホストコンピュータ
Ａ１  管理情報記録領域
Ａ２  通常記録領域
Ａ３  代替記録領域
【図１】
2008198287.tif 000003
【図２】
2008198287.tif 000004
【図３】
2008198287.tif 000005
【図４】
2008198287.tif 000006
【図５】
2008198287.tif 000007